(57)【要約】【課題】本発明の目的は、フレキシブルフラットケーブルの湾曲部の径が小さくなり断線に至ることを防止し、かつ、フレキシブルフラットケーブルが浮き上がり光学ユニットが乗り上げる等の不具合を防止することである。【解決手段】装置本体に移動可能に設けられた光学ユニットと、湾曲部を介して光学ユニットと装置本体側に固定されたフレキシブルフラットケーブルと、光学ユニットと対向する装置本体の対向面においてフレキシブルフラットケーブルが当接する第一の摩擦面と、対向面においてフレキシブルフラットケーブルが当接する第一の摩擦面より摩擦力の小さい第二の摩擦面と、を有し、光学ユニットが移動方向一方側の端部に位置するときに、フレキシブルフラットケーブルが第一の摩擦面および第二の摩擦面と当接し、さらに光学ユニットの移動方向において第一の摩擦面よりも外側の湾曲部が形成された側で、フレキシブルフラットケーブルが第二の摩擦面と当接する。【選択図】    図４
2018125603.tif 000002
【特許請求の範囲】
【請求項１】
装置本体と、
前記装置本体に移動可能に設けられ、少なくとも原稿に光を照射する光源を有する光学ユニットと、
一端を前記光学ユニットに固定され、湾曲部を介して他端を装置本体側に固定され、前記光学ユニットの移動に伴い変形可能に設けられたフレキシブルフラットケーブルと、
前記光学ユニットと対向する前記装置本体の対向面において前記フレキシブルフラットケーブルが当接する第一の摩擦面と、
前記対向面において前記フレキシブルフラットケーブルが当接する前記第一の摩擦面より摩擦力の小さい第二の摩擦面と、
を有し、
前記光学ユニットが移動方向一方側の端部に位置するときに、前記フレキシブルフラットケーブルが前記第一の摩擦面と当接し、
前記光学ユニットが移動方向一方側の端部に位置するときに、前記光学ユニットの移動方向において前記第一の摩擦面よりも外側の前記湾曲部が形成された側で、前記フレキシブルフラットケーブルが前記第二の摩擦面と当接することを特徴とする画像読取装置。
【請求項２】
前記第二の摩擦面は、前記光学ユニットの移動方向の一方の端部位置から他方に向けた移動方向に、前記光学ユニットと前記対向面との間の距離の（１／２）倍の領域であることを特徴とする請求項１に記載の画像読取装置。
【請求項３】
前記光学ユニットの移動方向の一方の端部位置は、前記湾曲部の曲率半径が最小になる光学ユニットの位置であり、この一方の端部位置から他方に向けた移動方向は、前記湾曲部が大きくなる方向であることを特徴とする請求項２に記載の画像読取装置。
【請求項４】
前記第二の摩擦面において、前記対向面に前記第一の摩擦面より摩擦力の小さい低摩擦シートを貼り付けたことを特徴とする請求項１乃至３のいずれか１項に記載の画像読取装置。
【請求項５】
前記第二の摩擦面において、前記対向面にフッ素コート処理を施したことを特徴とする請求項１乃至３のいずれか１項に記載の画像読取装置。
【請求項６】
前記第二の摩擦面において、前記対向面に前記第一の摩擦面より表面粗さを小さくする処理を施したことを特徴とする請求項１乃至３のいずれか１項に記載の画像読取装置。
【請求項７】
前記第一の摩擦面において、前記対向面に前記第二の摩擦面より摩擦力の大きい高摩擦シートを貼り付けたことを特徴とする請求項１乃至６のいずれか１項に記載の画像読取装置。
【請求項８】
前記第一の摩擦面において、前記対向面に前記第二の摩擦面より表面粗さを大きくする処理を施したことを特徴とする請求項１乃至６のいずれか１項に記載の画像読取装置。
【請求項９】
前記第二の摩擦面は、前記光学ユニットの初期位置から前記移動方向の一方側の少なくとも一部の領域であり、
前記第一の摩擦面 は、前記光学ユニットの初期位置から前記移動方向の他方側の領域であることを特徴とする請求項１乃至８のいずれか１項に記載の画像読取装置。
【請求項１０】
原稿台ガラスに載置した原稿に沿って前記光学ユニットを移動させながら原稿の画像を読み取る固定読みモードと、前記光学ユニットを読取位置に固定して前記読取位置を通過するよう原稿を搬送させながら原稿の画像を読み取る流し読みモードと、を有することを特徴とする請求項１乃至９のいずれか１項に記載の画像読取装置。
【請求項１１】
装置本体と、
前記装置本体に移動可能に設けられ、少なくとも原稿に光を照射する光源を有する光学ユニットと、
一端を前記光学ユニットに接続され、他端を装置本体側に接続され、前記光学ユニットの移動に伴い変形可能に設けられたフレキシブルフラットケーブルと、
前記光学ユニットを初期位置に対して一方側へ移動し、前記光学ユニットを読取位置に固定して前記読取位置を通過するよう原稿を搬送させながら原稿の画像を読み取る流し読みモードと、
前記光学ユニットを初期位置に対して他方側へ移動し、原稿台ガラスに載置した原稿に沿って前記光学ユニットを移動させながら原稿の画像を読み取る固定読みモードと、
前記光学ユニットと対向する前記装置本体の対向面において前記フレキシブルフラットケーブルが当接する第一の摩擦面と、
前記対向面において前記フレキシブルフラットケーブルが当接する前記第一の摩擦面より摩擦力の小さい第二の摩擦面と、
を有し、
前記固定読みモードの前記光学ユニットの移動領域の中で、前記フレキシブルフラットケーブルの少なくとも一部が前記第一の摩擦面と当接し、
前記流し読みモードの前記光学ユニットが読取位置にある場合において、前記フレキシブルフラットケーブルの少なくとも一部が前記第二の摩擦面に当接することを特徴とする画像読取装置。
【請求項１２】
装置本体と、
前記装置本体に移動可能に設けられ、少なくとも原稿に光を照射する光源を有する光学ユニットと、
一端を前記光学ユニットに接続され、他端を装置本体側に接続され、前記光学ユニットの移動に伴い変形可能に設けられたフレキシブルフラットケーブルと、
前記光学ユニットの移動方向の一方側の端部位置が初期位置かつ読取位置であり、前記光学ユニットを読取位置に固定して前記読取位置を通過するよう原稿を搬送させながら原稿の画像を読み取る流し読みモードと、
前記光学ユニットを原稿台ガラスに載置した原稿に沿って初期位置から他方側へ移動させながら原稿の画像を読み取る固定読みモードと、
前記光学ユニットと対向する前記装置本体の対向面において前記フレキシブルフラットケーブルが当接する第一の摩擦面と、
前記対向面において前記フレキシブルフラットケーブルが当接する前記第一の摩擦面より摩擦力の小さい第二の摩擦面と、
を有し、
前記固定読みモードの前記光学ユニットの移動領域の中で、前記フレキシブルフラットケーブルの少なくとも一部が前記第一の摩擦面と当接し、
前記流し読みモードの前記光学ユニットが読取位置にある場合において、前記フレキシブルフラットケーブルの少なくとも一部が前記第二の摩擦面と当接することを特徴とする画像読取装置。
【請求項１３】
前記光学ユニットは、原稿の画像を読み取る画像読取部であることを特徴とする請求項１乃至１２のいずれか１項に記載の画像読取装置。
【請求項１４】
シートに画像を形成する画像形成装置において、請求項１乃至１３のいずれか１項に記載の画像読取装置を有することを特徴とする画像形成装置。
【発明の詳細な説明】
【技術分野】
【０００１】
本発明は、複写機、ファクシミリ、イメージスキャナ等の画像読取装置、およびこれを備えた画像形成装置に関するものである。
【背景技術】
【０００２】
従来、図９に示すように、原稿台上に載置された原稿Ｄに対して読取光学ユニット１００１が読取走査を行う構成の画像読取装置において、読取光学ユニット１００１と、画像読取装置はフレキシブルフラットケーブル１００２で接続されている。以下、フレキシブルフラットケーブルは、ＦＦＣと記載する。この画像読取装置では、ＦＦＣ１００２は、読取光学ユニット１００１が原稿Ｄを走査するとき通過する領域Ｓと、画像読取装置の底板１００３との間に配置されている。ＦＦＣ１００２は、一端を読取光学ユニット１００１に固定され、他端を画像読取装置の底板１００３近傍の固定部１００４に固定されている。
【先行技術文献】
【特許文献】
【０００３】
【特許文献１】特許第５２６４２１５号
【発明の概要】
【発明が解決しようとする課題】
【０００４】
しかしながら、従来技術は、読取光学ユニットが原稿を読取走査する際に、底板近傍に固定された位置に近づく方向に走査する時、ＦＦＣが底板に対して移動方向にずれることによってたるみが生じる。すると、そのＦＣＣのたるみが底板から浮き上がり、読取光学ユニットと底板の間に挟まることによって、読取光学ユニットが正常に走査できなかったり、ＦＦＣに損傷を与えたりすることがあった。
【０００５】
このため、ＦＦＣと底板の間でずれないように、底板に高摩擦シートを貼り付ける構成のものがある。ところが、ＦＦＣがずれないように底板に高摩擦シートを貼り付けたため、ＦＦＣが形成する湾曲部の径が小さくなる方向に読取光学ユニットを走査した時に、ＦＦＣの、底板との固定部と、読取光学ユニットとの固定部が、読取光学ユニットの走査方向とは平行でない方向にずれていると、ＦＦＣが形成する湾曲部の径がＦＦＣの幅方向で一端側と他端側で異なる径になることがある。この湾曲部の径が想定された径より小さくなる場合があり、この場合、ＦＦＣに掛かる負荷が大きくなり、断線等の不具合に至るというのが一般的であった。
【０００６】
そこで、本発明の目的は、フレキシブルフラットケーブルの湾曲部の径が小さくなり断線に至ることを防止し、かつ、フレキシブルフラットケーブルが浮き上がり画像読取部が乗り上げる等の不具合を防止することである。
【課題を解決するための手段】
【０００７】
上記目的を達成するため、本発明は、装置本体と、前記装置本体に移動可能に設けられ、少なくとも原稿に光を照射する光源を有する光学ユニットと、一端を前記光学ユニットに固定され、湾曲部を介して他端を装置本体側に固定され、前記光学ユニットの移動に伴い変形可能に設けられたフレキシブルフラットケーブルと、前記光学ユニットと対向する前記装置本体の対向面において前記フレキシブルフラットケーブルが当接する第一の摩擦面と、前記対向面において前記フレキシブルフラットケーブルが当接する前記第一の摩擦面より摩擦力の小さい第二の摩擦面と、を有し、前記光学ユニットが移動方向一方側の端部に位置するときに、前記フレキシブルフラットケーブルが前記第一の摩擦面と当接し、前記光学ユニットが移動方向一方側の端部に位置するときに、前記光学ユニットの移動方向において前記第一の摩擦面よりも外側の前記湾曲部が形成された側で、前記フレキシブルフラットケーブルが前記第二の摩擦面と当接することを特徴とする。
【発明の効果】
【０００８】
本発明によれば、フレキシブルフラットケーブルの湾曲部の径が小さくなり断線に至ることを防止し、かつ、フレキシブルフラットケーブルが浮き上がることによって、そのフレキシブルフラットケーブルに光学ユニットが乗り上げる等の不具合を防止することができる。
【図面の簡単な説明】
【０００９】
【図１】実施例１に係る原稿読取装置の概略正面断面図
【図２】実施例１に係る原稿読取装置の概略上面断面図
【図３】実施例１に係る原稿読取装置の概略正面断面図
【図４】実施例１に係る原稿読取装置の概略正面断面図
【図５】比較例に係る原稿読取装置の概略正面断面図
【図６】実施例１に係る原稿読取装置の概略左面断面図
【図７】実施例１に係る原稿読取装置のブロック図
【図８】他の実施例に係る原稿読取装置の概略正面断面図
【図９】従来の原稿読取装置の概略正面断面図
【発明を実施するための形態】
【００１０】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものであり、本発明の範囲をそれらのみに限定する趣旨のものではない。
【００１１】
〔実施例１〕
以下、図１から図７を用いて、実施例１に係る原稿読取装置を説明する。図１は、実施例１に係る原稿読取装置の概略構成を示す正面断面図である。図２は、実施例１に係る画像読取装置の概略上面断面図である。図３（ａ）〜（ｅ）は、実施例１に係る画像読取装置の概略正面断面図であり、光学箱の移動とフレキシブルフラットケーブルの変形の関係を示す図である。図４は、実施例１に係る画像読取装置の概略正面断面図である。図５は、比較例に係る画像読取装置においてＦＦＣの浮き上がりを示す模式断面図である。図６は、実施例１に係る画像読取装置の概略左面断面図である。図７は、実施例１に係る画像読取装置のブロック図である。
【００１２】
図１に示すように、原稿読取装置は、画像読取装置（以下、リーダ部という）１５０と、原稿搬送装置（以下、ＡＤＦ（Ａｕｔｏ  Ｄｏｃｕｍｅｎｔ  Ｆｅｅｄｅｒ）という）２とを備えている。リーダ部１５０は、画像が形成された読取対象のシート（以下、原稿という）の画像を読み取る。ＡＤＦ２は、リーダ部１５０に原稿を供給したり、自身に原稿読取部を備え、原稿の１面の読み取りを行う。以下、詳しく説明する。
【００１３】
〔リーダ部〕
図１に示すように、リーダ部１５０は、原稿の画像面に光を照射するランプ１５２と、このランプ１５２によって照射された原稿からの反射光をレンズ１５７に導くミラー１５３、電荷結合素子（以下、ＣＣＤという）１５８等によって構成されている。リーダ部１５０の各構成要素は上面に原稿台ガラスを配したリーダフレーム１４０内に収められている。
【００１４】
ランプ１５２とミラー１５３、レンズ１５７、ＣＣＤ１５８は、光学箱（読取部）１５９に取り付けられている。ランプ１５２とミラー１５３、レンズ１５７、ＣＣＤ１５８が取り付けられた光学箱１５９は、原稿の画像を読み取る画像読取部（読取光学ユニット）を成しており、装置本体であるリーダフレーム１４０に移動可能に設けられている。図２に示すように光学箱１５９は、タイミングベルト１６５によって光学箱移動モータ１６３に結合されている。光学箱移動モータ１６３は、制御部１７０によって制御され、光学箱１５９のホームポジション位置（初期位置）を検知する光学箱ＨＰセンサ１６２の位置を基準にして正転し、光学箱１５９をレール１６６に沿って移動方向一方の端部側から矢印Ａ方向に移動するようになっている。光学箱１５９は図中右端（移動方向他方の端部）まで移動すると、光学箱移動モータ１６３は逆転して、光学箱を初期位置に戻る方向に移動させる。こうして、図１に示す光学箱１５９は、原稿台ガラス３上に載置された原稿Ｄ２を光学的に走査するようになっている。
【００１５】
図３に示すように、光学箱１５９が原稿Ｄ２を走査することによって得られる原稿からの反射光１４９は、ミラー１５３によってレンズ１５７に導かれ、レンズ１５７によってＣＣＤ１５８上に集光される。ＣＣＤ１５８は、原稿の画像情報を反映した反射光１４９を光電変換し、ＣＣＤ１５８が固定されているＣＣＤ基板１６８を経由して、フレキシブルフラットケーブル（以下、ＦＦＣという）１６７を介して、電子的な画像信号として制御部１７０に出力される。ＦＦＣ１６７は一端がＣＣＤ基板１６８に固定され、図３（ａ）に示す光学箱１５９の下面を通り、一旦、図中光学箱１５９の左側に伸びている。そこで湾曲部である円弧Ｒを描いて反転し、再び、光学箱１５９の下面を通って、走査幅の中央付近のＦＦＣ固定部１６９でリーダフレーム１４０の底面１４０ａに固定されている。ここで、ＦＦＣ１６７は図２に示すように固定部１６９で折り返され、方向を変えられて図中上方の制御部の方向へ接続される。すなわち、ＦＦＣ１６７は一端が画像読取部（光学箱）に固定され、湾曲部（円弧Ｒ）を介して他端が装置本体側（リーダフレーム側）に固定されている。
【００１６】
ＦＦＣ１６７は走査方向と直交する方向でかつ、リーダフレーム１４０の底面（ＦＦＣの下面と対向する対向面）と平行な方向に幅を持っている。図３（ａ）において、光学箱１５９が原稿の画像読取動作で図中右方向（矢印Ａ方向）に走査するとき、ＦＦＣ１６７は光学箱１５９の一方側（左側）に円弧Ｒを作りながら移動する。光学箱がリーダフレームの底面のＦＦＣ固定部１６９に近づく方向へ移動する時は、図３（ｂ）（ｃ）に示すように円弧Ｒは大きくなり、ＦＦＣ固定部１６９から離れる方向に移動する時は、図３（ｄ）（ｅ）に示すように円弧ＲはＦＦＣ固定部１６９の左側に形成され、大きさは小さくなる。つまり、光学箱１５９が図３（ａ）に示すように図中左方向（移動方向一方側）の移動限界位置まで移動した時、この円弧Ｒが最小になり、光学箱１５９が図３（ｄ）に示すように走査領域の略中央部のＦＦＣ固定部１６９の上方に移動した時、円弧Ｒは最大になる。さらに図３（ｄ）に示す位置から右側に移動した際は、ＦＦＣ１６７はリーダフレーム１４０の底面の固定部１６９近傍で円弧Ｒを形成し、光学箱１５９は右端部まで移動した時、円弧Ｒは最小になる。このようにＦＦＣ１６７は光学箱１５９の移動に伴って変形可能に設けられている。
【００１７】
〔ＡＤＦ（原稿搬送装置）〕
図１に示すように、ＡＤＦ２には原稿Ｄ１を載置する原稿トレイ４が配置されている。原稿トレイ４上に載置された複数枚の原稿からなる原稿束は、ピックアップローラ５によって繰り出される。ここで、原稿が複数枚繰り出された場合は、分離部６，８で１枚ずつに分離される。分離された原稿は、搬送ローラ対４６，４７によって搬送パス内を搬送される。
【００１８】
搬送された原稿は、リードローラ対３２によって、プラテンガラス１６１上の読取位置１６１ａに送り込まれる。原稿は、読取位置１６１ａにおいて、搬送されながらリーダ部１５０に備えられた光学箱１５９によって表面の画像が読み取られる。表面の画像が読み取られた原稿は、第２リードローラ対３３によって裏面プラテンガラス１７１上に送り込まれ、ＡＤＦ２内に備えられた裏面光学箱１７２によって裏面の画像が読み取られる。裏面画像が読み取られた原稿は、原稿排出ローラ対１８によて排出トレイ１０上に排出される。つまり、ＡＤＦ２では、光学箱を読取位置に固定し、読取位置を通過するよう原稿を搬送させることによって、画像を走査する構成になっている。
【００１９】
リーダ部１５０は、ユーザによって選択された、固定読みモード（原稿台ガラス原稿読取モード）と、流し読みモード（ＡＤＦ原稿読取モード）とのいずれかのモードによって原稿を読み取るようになっている。固定読みモードは、原稿を原稿台ガラス３上に載置して、光学箱１５９を副走査方向（図１矢印Ａ方向）に移動、走査させながら原稿の画像を読み取るモードである。一方、流し読みモードは、プラテンガラス（プラテン）１６１上の読取位置１６１ａで画像が読み取れる位置に光学箱１５９を固定し、原稿を搬送することによって読取位置１６１ａを通過させて、原稿の画像を読み取るモードである。
【００２０】
〔光学箱の動作〕
光学箱の動作に関して説明する。
【００２１】
光学箱１５９は、初期時、流し読みモードで読取を行う読取位置（図４に示す位置）１６１ａの一方側（図中矢印Ａ方向側）で、固定読みモードで読取開始する位置３ａの他方側（図中矢印Ａ′方向）の位置１６０ａに待機している。この流し読みモードの読取位置１６１ａと固定読みモードの読取開始位置３ａの間に位置する待機位置が、画像読取部としての光学箱１５９の初期位置１６０ａである。光学箱１５９の初期位置１６０ａは、プラテンガラス１６１と原稿台ガラス３の間に設けられた読取基準となる白色基準１６０に位置している。光学箱１５９は、初期位置（ホームポジション位置）１６０ａに待機しており、ユーザが流し読みモードまたは固定読みモードのどちらが選択された場合、最短距離を移動することによって、速やかに走査が開始できるようになっている。
【００２２】
ここで、流し読みモードが選択されると、図４に示すように、光学箱１５９は初期位置１６０ａから移動方向一方側（図中矢印Ａ′方向）に移動し、読取位置１６１ａに固定され、ＡＤＦ２から原稿が搬送されるまで待機する。一方、固定読みモード時は、光学箱１５９は初期位置１６０ａから移動方向他方側（図中矢印Ａ方向）に移動し、移動速度が安定した所で、読取が開始されるようになっている。
【００２３】
ここで、光学箱１５９が初期位置１６０ａから固定部１６９の方向（図４中矢印Ａ方向）に移動する時、光学箱１５９と対向する対向面であるリーダフレーム１４０の底面１４０ａにＦＦＣ１６７が当接する部分（ＦＦＣの底面側に這わせた部分）が、光学箱の移動に伴って底面と平行方向かつ光学箱の移動方向に動く場合がある。この場合、図５に示すように光学箱１５９と固定部の間でＦＦＣ１６７が底面１４０ａから浮き上がり凸形状を作ってしまう。光学箱１５９が原稿の画像を走査する際、このＦＦＣ１６７の凸形状が大きくなると、衝突してしまい、読取画像に異常をきたすことがある。このため、図４中一点鎖線で示すフレーム底面１４０ａのＦＦＣ１６７と当接する部分に、後述する第二の摩擦面１４０ｃより摩擦力の高い第一の摩擦面１４０ｂを設けている。第一の摩擦面１４０ｂは、前記ＦＦＣ１６７と当接するフレーム底面１４０ａに、第二の摩擦面１４０ｃより摩擦力の大きい高摩擦シートを貼り付け、または、第二の摩擦面１４０ｃより表面粗さを大きくする処理を施すことによって、フレーム底面１４０ａのＦＦＣ１６７と当接する部分の摩擦係数を第二の摩擦面より高くし、ＦＦＣ１６７が光学箱１５９の走査時のフレーム底面１４０ａと平行方向に移動しないようにしている。ＦＦＣ１６７がフレーム底面１４０ａと平行方向に移動しなければ、ＦＦＣ１６７に凸形状が形成されず、光学箱１５９は安定した読取走査を行うことができる。
【００２４】
一方、本実施例において、図４に示すように、光学箱１５９の移動領域の一方の端部近傍の領域においては、図４中点線で示すフレーム底面１４０ａのＦＦＣ１６７と当接する部分に、前記第一の摩擦面１４０ｂより摩擦力の低い第二の摩擦面１４０ｃを設けている。第二の摩擦面１４０ｃは、前記ＦＦＣ１６７と当接するフレーム底面１４０ａに、第一の摩擦面１４０ｂより摩擦力の小さい低摩擦シートを貼り付けることによって、フレーム底面１４０ａのＦＦＣ１６７と当接する部分の摩擦係数を前記第一の摩擦面１４０ｂより低くするように構成している。
【００２５】
光学箱１５９が移動方向一方側の端部に位置（ここでは図４に示す流し読みモード時の読取位置）するときに、ＦＦＣ１６７は第一の摩擦面１４０ｂの少なくとも一部と当接している。また、光学箱１５９が移動方向一方側の端部に位置（ここでは図４に示す流し読みモード時の読取位置）するときに、光学箱１５９の移動方向（図４に示す矢印Ａ方向とは逆方向）において第一の摩擦面１４０ｂよりも外側の円弧Ｒが形成された側で、ＦＦＣ１６７は第二の摩擦面１４０ｃの少なくとも一部とも当接している。
【００２６】
光学箱１５９は、移動方向一方側の端部に向けて移動（図中矢印Ａ′方向に移動）すると、光学箱１５９の移動方向下流側にＦＦＣ１６７が形成している湾曲部としての円弧Ｒの半径（曲率半径）が小さくなる。光学箱１５９が移動領域で、前記移動方向一方側の端部に位置した時、この円弧Ｒの半径が最小になる。その円弧Ｒの最小直径が、光学箱１５９とフレーム底面１４０ａとの間の距離に相当する距離になっている。
【００２７】
ここで、ＦＦＣ１６７を上面から見た時、図２に示すように、ＦＦＣ１６７のＣＣＤ側の固定位置とフレーム底面側の固定位置が、ＦＦＣの移動方向（矢印Ａ、Ａ′方向）と直交する幅方向（図２中の上下方向）でずれていた場合、光学箱１５９の外側に形成されるＦＦＣ１６７の円弧Ｒの大きさが幅方向で不均一な径になっている。このＦＦＣの状態を図６（ｂ）に示す。図６（ｂ）は、光学箱１５９とＦＦＣ１６７を図４の矢印Ｌ方向からみた図である。この状態で、さらに光学箱１５９が図２中の矢印Ａ′方向に移動し、ＦＦＣ１６７の円弧Ｒが小さくなると、図６（ｂ）の矢印Ｂに示すように、ＦＦＣ１６７は自身の剛性により、円弧Ｒを均一にしようとする力が発生する。この力は、ＦＦＣ１６７を幅方向に移動させようとする力である。この力が発生しても、ＦＦＣ１６７が移動できない場合は、不均一な径の小さい側において、ＦＦＣ１６７に大きな負荷がかかり、断線等の不具合が発生することがある。
【００２８】
そこで、本実施例では、上述したように、光学箱１５９が図２または図４中の移動方向一方側（矢印Ａ′方向）に移動した時、その移動領域の一方の端部近傍において、ＦＦＣ１６７とフレーム底面１４０ａとの間で発生する摩擦力が小さくなるように構成されている。このため、ＦＦＣ１６７を幅方向に移動させようとする力を妨げることなく、ＦＦＣ１６７が幅方向に自由に移動し、図６（ａ）に示すようにＦＦＣ１６７が幅方向で略均一な径の円弧Ｒを形成することができる。
【００２９】
ここで、光学箱１５９の移動領域の一方側の端部位置を、ＦＦＣ１６７が光学箱１５９の下面からフレーム底面１４０ａの距離ａを半径とした時の円弧Ｒを形成した位置とする。光学箱１５９が初期位置に戻る等の動きで移動方向一方側に移動していくとき、光学箱１５９の移動方向一方側の端部位置に対して、円弧Ｒの半径ａ（光学箱下面とフレーム底面の距離の１／２）の約５倍「５×ａ」の位置付近から、ＦＦＣ１６７がフレーム底面１４０ａを押す力、およびＦＦＣ１６７が均一な円弧Ｒを形成しようとする力が発生する。そして、光学箱１５９の移動方向一方側の端部位置に対して、光学箱下面とフレーム底面との距離の１／２の領域において、ＦＦＣ１６７が底面１４０ａを押す力が最大となる。このため、少なくとも、図４に示すように光学箱１５９が移動方向一方側の端部の位置（左端位置）にあるとき、フレーム底面１４０ａのＦＦＣ１６７が当接する図４に示す領域ａにおいて、ＦＦＣ１６７とＦＦＣ１６７が当接するフレーム底面１４０ａの摩擦力が第一の摩擦面より小さくなるようにフレーム底面を構成する。それ以外の領域において、ＦＦＣ１６７とＦＦＣ１６７が当接するフレーム底面１４０ａの摩擦力が第二の摩擦面より大きくなるようにフレーム底面を構成する。
【００３０】
なお、光学箱１５９は前述したように、ＡＤＦ２を使用する流し読みモード時、初期位置から移動方向一方側に移動するため、光学箱１５９の移動領域の移動方向一方側の端部位置は、流し読みモード時の読取位置に相当する位置になっている。また移動方向他方側の端部位置は、固定読みモードで、最大サイズの原稿を走査しながら読み取り、減速、停止した位置である。
【００３１】
上述したように、本実施例によれば、光学箱１５９の移動領域の端部近傍において、ＦＦＣ１６７の円弧（湾曲部）Ｒの径が小さくなる領域では、ＦＦＣ１６７が当接するフレーム底面１４０ａとＦＦＣ１６７との摩擦係数を小さくする。また、それ以外の領域において、ＦＦＣ１６７とフレーム底面１４０ａが当接する部分においては、摩擦係数を高くする。ことにより、ＦＦＣ１６７の円弧（湾曲部）Ｒの径が小さくなり断線に至ることを防止し、かつ、ＦＦＣ１６７が浮き上がることによって、ＦＦＣ１６７の上に光学箱１５９が乗り上げる等の不具合を防止することができる。
【００３２】
〔他の実施例〕
前述した実施例においては、ＦＦＣがフレーム底面を強く押し始める「５×ａ」の領域（図４参照）に第一の摩擦面より摩擦力の小さい第二の摩擦面を設けた構成を例示したが、これに限定されるものではない。少なくとも、ＦＦＣがフレーム底面を押す力が最大となる「ａ」の領域（図４参照）でＦＦＣとフレーム底面が低摩擦状態であれば、ＦＦＣは幅方向に移動する、所謂、横滑りして、ＦＦＣが形成する最小円弧が幅方向において略均一となる。また、第二の摩擦面は、「５×ａ」の領域や「ａ」の領域に限定されず、光学箱の移動方向の一方の端部位置から他方に向けた移動方向に、光学箱とフレーム底面との間の距離の（１／２）倍の領域であればよい。
【００３３】
また他の実施例として、フレーム底面全体がＦＦＣに対して摩擦係数が高く、大きな摩擦力を発生させている場合、摩擦力を小さくする領域（第二の摩擦面）では、フレーム底面の表面を磨くなど、第一の摩擦面よりも表面粗さを小さくする処理を施すことによって、ＦＦＣを滑りやすくしてもよい。あるいは、摩擦力を小さくする領域では、フッ素コート処理などの低摩擦処理を行い、ＦＦＣを滑りやすくしてもよい。これらの構成によっても、ＦＦＣが形成する最小円弧の半径を略均一にすることができる。
【００３４】
一方、フレーム底面全体がＦＦＣに対して摩擦係数が低く、摩擦力が小さい場合、光学箱の移動方向一方側の端部領域（第二の摩擦面）以外の領域において、フレーム底板の表面粗さを第二の摩擦面よりも大きくする等の処理を行い、摩擦力を大きくするようにしてもよい。
【００３５】
また、前述した実施例においては、光学箱が移動方向一方側（矢印Ａ′方向）の端部に向けて移動する時、ＦＦＣが形成する円弧（湾曲部）の径が小さくなる例を示したが、これに限定されるものではない。例えば、図８に示すように、前述した実施例とは鏡像関係のように、光学箱が移動方向他方側（矢印Ａ方向）の端部に向けて移動する時、ＦＦＣが形成する円弧（湾曲部）の径が小さくなる構成においては、前記移動方向他方側の端部領域（第二の摩擦面）において、ＦＦＣとフレーム底面の摩擦力が第一の摩擦面より小さくなるように構成されている。
【００３６】
また、前述した実施例においては、光学箱が初期位置から流し読みモードの読取位置に移動する構成を例示したが、これに限定されるものではない。光学箱の初期位置（待機位置）を移動方向一方側の端部位置と設定し、流し読みモード時の読取位置を初期位置とし、固定読みモード時の走査開始位置を初期位置とし、走査を開始するように設定されていた画像読取装置であってもよい。この場合、初期位置において、その近傍下面側のＦＦＣとフレーム底面が当接する位置は摩擦係数を低くなるように構成されている。
【００３７】
また前述した実施例では、光学ユニットとして、原稿の画像を読み取る画像読取部としての光学箱を例示したが、これに限定されるものではない。例えば、少なくとも原稿の画像に光を照射する光源を有する光学ユニットが、装置本体に対して移動可能に設けられた構成の画像読取装置であってもよい。すなわち、光源を有する光学ユニットで原稿の画像面を走査しつつ、原稿からの反射光を装置本体に固定されたミラー、レンズを通して、ＣＣＤなどで読み取る、あるいは像担持体に照射する構成の画像読取装置においても、本発明を適用することで同様の効果を得ることができる。
【００３８】
また前述した実施例では、原稿搬送装置を備えた画像読取装置を例示したが、本発明はこれに限定されるものではない。シートに画像を形成する複写機、ファクシミリ装置等の画像形成装置や、或いはこれらの機能を組み合わせた複合機等の画像形成装置における画像読取装置であっても良い。これらの画像読取装置に本発明を適用することにより同様の効果を得ることができる。
【符号の説明】
【００３９】
Ｄ１，Ｄ２ …原稿
Ｒ    …円弧
２    …ＡＤＦ
３    …原稿台ガラス
３ａ  …読取開始位置
１４０ …リーダフレーム
１４０ｂ …第一の摩擦面
１４０ｃ …第二の摩擦面
１５０ …リーダ部
１５２ …ランプ
１５３ …ミラー
１５７ …レンズ
１５８ …ＣＣＤ
１５９ …光学箱
１６０ …白色基準
１６０ａ …初期位置
１６１ …プラテンガラス
１６１ａ …読取位置
１６２ …光学箱ＨＰセンサ
１６３ …光学箱移動モータ
１６５ …タイミングベルト
１６６ …レール
１６９ …固定部
１７０ …制御部
【図１】
2018125603.tif 000003
【図２】
2018125603.tif 000004
【図３】
2018125603.tif 000005
【図４】
2018125603.tif 000006
【図５】
2018125603.tif 000007
【図６】
2018125603.tif 000008
【図７】
2018125603.tif 000009
【図８】
2018125603.tif 000010
【図９】
2018125603.tif 000011